(57)【要約】【課題】スリット幅の調整を高い精度でかつ容易に行うことが可能な細隙灯顕微鏡を提供する。【解決手段】実施形態の細隙灯顕微鏡は、光源と、一対のスリット刃と、アクチュエータと、機構と、操作部と、記憶部と、操作内容検出部と、制御部とを有する。光源は照明光を発する。一対のスリット刃は、照明光からスリット光を生成する。アクチュエータは駆動力を発生する。機構は、駆動力に基づいてスリット刃の間隔を変更する。記憶部には、操作部に対する操作内容とアクチュエータの作動量とを対応付けた対応情報が予め記憶される。操作内容検出部は、操作部に対する操作内容を検出する。制御部は、検出された操作内容に対応付けられた作動量を対応情報に基づき取得し、取得された作動量に基づいてアクチュエータを制御することにより当該操作内容に応じた距離だけ一対のスリット刃の間隔を変更する。【選択図】図３
2014033812.tif 000002
【特許請求の範囲】
【請求項１】
照明光を発する光源と、
前記照明光からスリット光を生成する一対のスリット刃と、
駆動力を発生するアクチュエータと、
前記駆動力に基づいて前記スリット刃の間隔を変更する機構と、
操作部と、
前記操作部に対する操作内容と前記アクチュエータの作動量とを対応付けた対応情報が予め記憶された記憶部と、
前記操作部に対する操作内容を検出する操作内容検出部と、
検出された操作内容に対応付けられた作動量を前記対応情報に基づき取得し、取得された作動量に基づいて前記アクチュエータを制御することにより当該操作内容に応じた距離だけ前記スリット刃の間隔を変更する制御部と
を有する細隙灯顕微鏡。
【請求項２】
前記操作内容は、所定の基準操作位置に対する前記操作部の変位であり、
前記対応情報は、前記変位の可変範囲の少なくとも一部において前記作動量が変化するように、前記変位と前記作動量とを対応付けている
ことを特徴とする請求項１に記載の細隙灯顕微鏡。
【請求項３】
前記対応情報は、前記基準操作位置と、前記間隔が実質的にゼロである前記スリット刃の基準スリット位置とを対応付けていることを特徴とする請求項２に記載の細隙灯顕微鏡。
【請求項４】
前記スリット刃が所定の検出位置に位置していることを検出するスリット検出部を有し、
前記記憶部は、前記基準スリット位置と前記検出位置との間の距離を示す距離情報を予め記憶し、
前記制御部は、前記スリット刃が前記検出位置に位置していると検出されたときに、前記距離情報に基づいて前記アクチュエータを制御することにより前記スリット刃を前記基準スリット位置に配置させる
ことを特徴とする請求項３に記載の細隙灯顕微鏡。
【請求項５】
前記操作部は、第１方向及びその逆方向である第２方向に回転可能な回転操作部を含み、
前記操作内容は、前記基準操作位置に対する前記回転操作部の回転位置を含み、
前記対応情報は、前記基準操作位置から前記第１方向に向かう第１範囲において前記回転位置の単位変化量に対する前記作動量の変化量が単調変化するように、前記回転位置と前記作動量とを対応付けている
ことを特徴とする請求項２〜請求項４のいずれか一項に記載の細隙灯顕微鏡。
【請求項６】
前記第１範囲において、前記第１方向は、前記スリット刃の間隔を拡大させるための前記回転操作部の回転方向であり、
前記単調変化は、単調増加である
ことを特徴とする請求項５に記載の細隙灯顕微鏡。
【請求項７】
前記第１範囲において、前記第１方向は、前記スリット刃の間隔を縮小させるための前記回転操作部の回転方向であり、
前記単調変化は、単調減少である
ことを特徴とする請求項５に記載の細隙灯顕微鏡。
【請求項８】
前記対応情報は、前記第１範囲と異なる第２範囲において、前記第１方向における前記回転位置の単位変化量に対する前記作動量の変化量が前記単調変化とは逆の単調変化をするように、前記回転位置と前記作動量とを対応付けていることを特徴とする請求項５〜請求項７のいずれか一項に記載の細隙灯顕微鏡。
【請求項９】
前記対応情報は、前記回転位置の変化に対し前記作動量としてゼロが対応付けられた第３範囲を含むように、前記回転位置と前記作動量とを対応付けていることを特徴とする請求項５〜請求項８のいずれか一項に記載の細隙灯顕微鏡。
【請求項１０】
前記制御部は、前記対応情報における前記回転操作部の回転方向と前記作動量との対応関係を反転させる対応情報反転部を含むことを特徴とする請求項５〜請求項９のいずれか一項に記載の細隙灯顕微鏡。
【請求項１１】
前記記憶部は、複数の前記対応情報を予め記憶し、
前記制御部は、前記複数の対応情報を択一的に用いることで、前記操作内容検出部により検出された操作内容に対応付けられた作動量の取得を行う
ことを特徴とする請求項１〜請求項１０のいずれか一項に記載の細隙灯顕微鏡。
【請求項１２】
前記アクチュエータは、パルスモータであり、
前記作動量は、前記制御部から前記パルスモータに送信されるパルス信号のパルス数を示す
ことを特徴とする請求項１〜請求項１１のいずれか一項に記載の細隙灯顕微鏡。
【発明の詳細な説明】
【技術分野】
【０００１】
この発明は細隙灯顕微鏡に関する。
【背景技術】
【０００２】
細隙灯顕微鏡は、スリット光を用いて角膜の光切片を切り取ることにより角膜の断面の画像を取得する眼科装置である。細隙灯顕微鏡には、スリット光を得るための一対のスリット刃が設けられている。検者はスリット刃の間隔（スリット幅）を適宜に調整しつつ観察を行う。このスリット幅の調整には高い精度が求められる。
【０００３】
スリット幅を変更する機構を有する細隙灯顕微鏡としては、特許文献１〜３に記載されたものが知られている。特許文献１には、スリット幅の調整時に、スリット幅に応じて光源の光量を自動的に変化させることにより操作性の向上を図った細隙灯顕微鏡が開示されている。この細隙灯顕微鏡では、左右に設けられたスリット幅可変ノブに対する操作を機械的に伝達することによってスリット幅を変更している。
【０００４】
特許文献２には、スリット方向を変化させるための機械的な機構が開示されている。より詳しく説明すると、この細隙灯顕微鏡は、スリット方向変換レバーに対する操作によりスリット方向変換軸を回転させ、この回転動作を歯車機構で伝達することにより、スリット板及びその開閉機構が設けられた回転体を回転させるように構成されている。スリット幅の変更については、特許文献１と同様に、左右に設けられたスリット幅可変ノブに対する操作を機械的に伝達することによって行われるようになっている。
【０００５】
特許文献３に開示された細隙灯顕微鏡は、スリット幅調整ハンドルに対する回転操作をスリット光投影光軸に沿う直線移動に変換して２つのスリット刃に伝達することによりスリット幅を変更するよう構成されている。
【先行技術文献】
【特許文献】
【０００６】
【特許文献１】特公昭５７−４５５６９号公報
【特許文献２】実開昭５５−１５５２１１号公報
【特許文献３】特開昭６３−１１１８３５号公報
【発明の概要】
【発明が解決しようとする課題】
【０００７】
このように、スリット幅の変更は、ユーザによる操作を受けて実行される。一方、上記のようにスリット幅の調整には高い精度が求められる。また、細隙灯顕微鏡は、眼科医の聴診器と呼ばれるほど、医療現場において頻繁に使用される。したがって、ユーザは、精緻な操作を頻繁に行わなければならない。これは、ユーザの負担になるだけでなく、検査の長時間化などにより患者にとっての負担にもなりうる。
【０００８】
この発明は、上記の問題を解決するためになされたものであり、その目的は、スリット幅の調整を高い精度でかつ容易に行うことが可能な細隙灯顕微鏡を提供することにある。
【課題を解決するための手段】
【０００９】
上記目的を達成するために、請求項１に記載の細隙灯顕微鏡は、照明光を発する光源と、前記照明光からスリット光を生成する一対のスリット刃と、駆動力を発生するアクチュエータと、前記駆動力に基づいて前記スリット刃の間隔を変更する機構と、操作部と、前記操作部に対する操作内容と前記アクチュエータの作動量とを対応付けた対応情報が予め記憶された記憶部と、前記操作部に対する操作内容を検出する操作内容検出部と、検出された操作内容に対応付けられた作動量を前記対応情報に基づき取得し、取得された作動量に基づいて前記アクチュエータを制御することにより当該操作内容に応じた距離だけ前記スリット刃の間隔を変更する制御部とを有する細隙灯顕微鏡である。
また、請求項２に記載の発明は、請求項１に記載の細隙灯顕微鏡であって、前記操作内容は、所定の基準操作位置に対する前記操作部の変位であり、前記対応情報は、前記変位の可変範囲の少なくとも一部において前記作動量が変化するように、前記変位と前記作動量とを対応付けていることを特徴とする。
また、請求項３に記載の発明は、請求項２に記載の細隙灯顕微鏡であって、前記対応情報は、前記基準操作位置と、前記間隔が実質的にゼロである前記スリット刃の基準スリット位置とを対応付けていることを特徴とする。
また、請求項４に記載の発明は、請求項３に記載の細隙灯顕微鏡であって、前記スリット刃が所定の検出位置に位置していることを検出するスリット検出部を有し、前記記憶部は、前記基準スリット位置と前記検出位置との間の距離を示す距離情報を予め記憶し、前記制御部は、前記スリット刃が前記検出位置に位置していると検出されたときに、前記距離情報に基づいて前記アクチュエータを制御することにより前記スリット刃を前記基準スリット位置に配置させることを特徴とする。
また、請求項５に記載の発明は、請求項２〜請求項４のいずれか一項に記載の細隙灯顕微鏡であって、前記操作部は、第１方向及びその逆方向である第２方向に回転可能な回転操作部を含み、前記操作内容は、前記基準操作位置に対する前記回転操作部の回転位置を含み、前記対応情報は、前記基準操作位置から前記第１方向に向かう第１範囲において前記回転位置の単位変化量に対する前記作動量の変化量が単調変化するように、前記回転位置と前記作動量とを対応付けていることを特徴とする。
また、請求項６に記載の発明は、請求項５に記載の細隙灯顕微鏡であって、前記第１範囲において、前記第１方向は、前記スリット刃の間隔を拡大させるための前記回転操作部の回転方向であり、前記単調変化は、単調増加であることを特徴とする。
また、請求項７に記載の発明は、請求項５に記載の細隙灯顕微鏡であって、前記第１範囲において、前記第１方向は、前記スリット刃の間隔を縮小させるための前記回転操作部の回転方向であり、前記単調変化は、単調減少であることを特徴とする。
また、請求項８に記載の発明は、請求項５〜請求項７のいずれか一項に記載の細隙灯顕微鏡であって、前記対応情報は、前記第１範囲と異なる第２範囲において、前記第１方向における前記回転位置の単位変化量に対する前記作動量の変化量が前記単調変化とは逆の単調変化をするように、前記回転位置と前記作動量とを対応付けていることを特徴とする。
また、請求項９に記載の発明は、請求項５〜請求項８のいずれか一項に記載の細隙灯顕微鏡であって、前記対応情報は、前記回転位置の変化に対し前記作動量としてゼロが対応付けられた第３範囲を含むように、前記回転位置と前記作動量とを対応付けていることを特徴とする。
また、請求項１０に記載の発明は、請求項５〜請求項９のいずれか一項に記載の細隙灯顕微鏡であって、前記制御部は、前記対応情報における前記回転操作部の回転方向と前記作動量との対応関係を反転させる対応情報反転部を含むことを特徴とする。
また、請求項１１に記載の発明は、請求項１〜請求項１０のいずれか一項に記載の細隙灯顕微鏡であって、前記記憶部は、複数の前記対応情報を予め記憶し、前記制御部は、前記複数の対応情報を択一的に用いることで、前記操作内容検出部により検出された操作内容に対応付けられた作動量の取得を行うことを特徴とする。
また、請求項１２に記載の発明は、請求項１〜請求項１１のいずれか一項に記載の細隙灯顕微鏡であって、前記アクチュエータは、パルスモータであり、前記作動量は、前記制御部から前記パルスモータに送信されるパルス信号のパルス数を示すことを特徴とする。
【発明の効果】
【００１０】
このような細隙灯顕微鏡によれば、スリット幅の調整を高い精度でかつ容易に行うことが可能である。
【図面の簡単な説明】
【００１１】
【図１】実施形態に係る細隙灯顕微鏡の外観構成の一例を表す概略側面図である。
【図２】実施形態に係る細隙灯顕微鏡の光学系の構成の一例を表す概略側面図である。
【図３】実施形態に係る細隙灯顕微鏡の制御系の構成の一例を表す概略ブロック図である。
【図４Ａ】実施形態に係る細隙灯顕微鏡の対応情報の一例を表す概略図である。
【図４Ｂ】実施形態に係る細隙灯顕微鏡の対応情報の一例を表す概略図である。
【図４Ｃ】実施形態に係る細隙灯顕微鏡の対応情報の一例を表す概略図である。
【図５Ａ】実施形態に係る細隙灯顕微鏡が実行する処理を説明するための概略図である。
【図５Ｂ】実施形態に係る細隙灯顕微鏡が実行する処理を説明するための概略図である。
【図６】実施形態に係る細隙灯顕微鏡の動作の一例を表すフローチャートである。
【発明を実施するための形態】
【００１２】
この発明に係る細隙灯顕微鏡の実施形態の一例について、図面を参照しながら詳細に説明する。なお、この明細書に記載された文献の記載内容を、以下の実施形態の内容として適宜援用することが可能である。
【００１３】
まず方向を定義しておく。装置光学系において最も被検者側に位置する光学素子から被検者に向かう方向を前方向とし、その逆方向を後方向とする。また、前方向に直交する水平方向を左右方向とする。更に、前後方向と左右方向の双方に直交する方向を上下方向とする。
【００１４】
［外観構成］
この実施形態に係る細隙灯顕微鏡の外観構成について、図１を参照しながら説明する。細隙灯顕微鏡１には、コンピュータ１００が接続されている。コンピュータ１００は、各種の制御処理や演算処理を行う。なお、顕微鏡本体（光学系等を格納する筐体）とは別にコンピュータ１００を設ける代わりに、顕微鏡本体に同様のコンピュータを搭載した構成を適用することも可能である。
【００１５】
細隙灯顕微鏡１はテーブル２上に載置される。なお、コンピュータ１００は他のテーブル上又はその他の場所に設置されていてもよい。基台４は、移動機構部３を介して水平方向に移動可能に構成されている。基台４は、操作ハンドル５を傾倒操作することにより移動される。
【００１６】
基台４の上面には、観察系６及び照明系８を支持する支持部１５が設けられている。支持部１５には、観察系６を支持する支持アーム１６が左右方向に回動可能に取り付けられている。支持アーム１６の上部には、照明系８を支持する支持アーム１７が左右方向に回動可能に取り付けられている。支持アーム１６、１７は、それぞれ独立に同軸で回動可能とされている。
【００１７】
観察系６は、支持アーム１６を手動で回動させることで移動される。照明系８は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、この駆動力を伝達する伝達機構とが設けられる。アクチュエータは、たとえばパルスモータにより構成される。伝達機構は、たとえば歯車の組み合わせやラック・アンド・ピニオンなどによって構成される。
【００１８】
照明系８は、被検眼Ｅに照明光を照射する。照明系８は、前述のように、回動軸を中心に左右方向に振ることができる。それにより被検眼Ｅに対する照明光の照射方向が変更される。照明系８は上下方向にも振れるように構成されていてもよい。つまり、照明光の仰角や俯角を変更できるように構成されていてもよい。
【００１９】
観察系６は、被検眼Ｅからの照明光の反射光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、照明光の反射光には、たとえば散乱光のように被検眼Ｅを経由した各種の光が含まれるが、これら各種の光を含めて「反射光」と呼ぶことにする。
【００２０】
鏡筒本体９に対峙する位置には顎受け台１０が配置されている。顎受け台１０には、被検者の顔を安定配置させるための顎受部１０ａと額当て１０ｂが設けられている。
【００２１】
鏡筒本体９の側面には、観察倍率を変更するための観察倍率操作ノブ１１が配置されている。更に、鏡筒本体９には、被検眼Ｅを撮影するための撮像装置１３が接続されている。撮像装置１３は撮像素子を含んで構成されている。撮像素子は、光を検出して電気信号（画像信号）を出力する光電変換素子である。画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。
【００２２】
照明系８を支持する支持アーム１７の側面には、スリット幅を変更するためのスリット操作ノブ１８が設けられている。図示は省略するが、スリット操作ノブ１８は、左右双方に設けられている。スリット操作ノブ１８は、左右方向に延びる回転軸を中心として回転可能に設けられている。スリット操作ノブ１８は、たとえば左方から見て時計回り方向及び反時計回り方向にそれぞれ回転可能とされている。スリット操作ノブ１８の回転操作に基づきスリット幅を変更する構成については後述する。スリット操作ノブ１８は「回転操作部」の一例である。
【００２３】
［光学系の構成］
細隙灯顕微鏡１の光学系の構成について、図２を参照しながら説明する。細隙灯顕微鏡１は観察系６と照明系８を有する。
【００２４】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００２５】
観察系６の左右の各光学系は、対物レンズ３１、変倍光学系３２、絞り３３、リレーレンズ３５、プリズム３６及び接眼レンズ３７を有する。ビームスプリッタ３４は、左右の光学系の一方のみに又は双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００２６】
変倍光学系３２は、複数（たとえば２枚）の変倍レンズ３２ａ、３２ｂを含んで構成される。この実施形態では、観察系６の光路に対して選択的に挿入可能な複数の変倍レンズ群が設けられている。これら変倍レンズ群は、それぞれ異なる倍率を付与するように構成されている。観察系６の光路に配置された変倍レンズ群が変倍レンズ３２ａ、３２ｂとして用いられる。それにより、被検眼Ｅの肉眼観察像や撮影画像の倍率（画角）を変更できる。倍率の変更、つまり観察系６の光路に配置される変倍レンズ群の切り替えは、観察倍率操作ノブ１１を操作することにより行われる。また、図示しないスイッチ等を用いて電動で倍率を変更するように構成してもよい。
【００２７】
ビームスプリッタ３４は、観察光軸Ｏ１に沿って進む光を二分割する。ビームスプリッタ３４を透過した光は、リレーレンズ３５、プリズム３６及び接眼レンズ３７を介して検者眼Ｅｏに導かれる。プリズム３６は、２つの光学素子３６ａ、３６ｂを含み、光の進行方向を上方に平行移動させる。
【００２８】
他方、ビームスプリッタ３４により反射された光は、リレーレンズ４１及びミラー４２を介して、撮像装置１３の撮像素子４３に導かれる。撮像素子４３は、この反射光を検出して画像信号を生成する。
【００２９】
〔照明系〕
照明系８は、光源５１、リレーレンズ５２、照明絞り５６、集光レンズ５３、スリット形成部５４及び集光レンズ５５を有する。符号Ｏ２は、照明系８の光軸（照明光軸）を示す。
【００３０】
光源５１は照明光を出力する。なお、照明系８に複数の光源を設けてもよい。たとえば、定常光を出力する光源（ハロゲンランプ、ＬＥＤ等）と、フラッシュ光を出力する光源（キセノンランプ、ＬＥＤ等）の双方を光源５１として設けることができる。また、角膜観察用の光源と眼底観察用の光源とを別々に設けてもよい。
【００３１】
スリット形成部５４は、スリット光を生成するために用いられる。スリット形成部５４は、一対のスリット刃を有する。これらスリット刃の間隔を変更することによりスリット幅が変更される。
【００３２】
スリット刃は、アクチュエータ２００と駆動機構２１０によって移動される。アクチュエータ２００は、駆動力を発生するデバイスであり、たとえばパルスモータにより構成される。駆動機構２１０は、アクチュエータ２００により発生された駆動力に基づいてスリット刃の間隔を変更するものであり、「機構」に相当する。
【００３３】
スリット形成部５４の近傍にはスリット検出部３００が設けられている。スリット検出部３００は、スリット刃が所定の検出位置に位置していることを検出する。スリット検出部３００は、たとえばフォトセンサである。フォトセンサは、発光素子と受光素子とを有し、検出物体（スリット刃）による光の変化を検知して電気信号を出力するデバイスである。
【００３４】
照明絞り５６は、その透光部のサイズを変更可能に構成されている。照明絞り５６は、特に眼底観察において有効である。たとえば、照明絞り５６には、角膜Ｅｃや水晶体による照明光の反射を低減させたり、照明光の明るさを調整したりといった用途がある。
【００３５】
［制御系の構成］
細隙灯顕微鏡１の制御系について、図３を参照しながら説明する。細隙灯顕微鏡１の制御系は、制御部１０１を中心に構成されている。なお、図３には、この実施形態で特に注目する構成部位のみが記載されており、それ以外の構成部位は省略されている。
【００３６】
〔制御部〕
制御部１０１は、細隙灯顕微鏡１の各部を制御する。たとえば、制御部１０１は、観察系６の制御や照明系８の制御などを行う。観察系６の制御としては、変倍光学系３２の制御、絞り３３の制御、撮像素子４３の電荷蓄積時間、感度、フレームレート等の制御などがある。照明系８の制御としては、光源５１の制御、照明絞り５６の制御、スリット形成部５４の制御などがある。なお、スリット形成部５４の制御は、アクチュエータ２００を制御することにより行われる。アクチュエータ２００がパルスモータである場合、制御部１０１は、アクチュエータ２００にパルス信号を送信する。また、制御部１０１は、記憶部１０２に記憶されたデータの読み出し処理や、記憶部１０２に対するデータの書き込み処理を行う。
【００３７】
制御部１０１には、スリット検出部３００からの電気信号が入力される。それにより、制御部１０１は、スリット刃が検出位置に位置していることを認識する。なお、スリット検出部３００による検出結果は、スリット形成部５４の一対のスリット刃を基準スリット位置に配置させるために用いられる（後述）。基準スリット位置は、たとえば一対のスリット刃が互いに接触する位置、つまりスリット幅が実質的にゼロであるような一対のスリット刃の位置である。
【００３８】
制御部１０１には、操作内容検出部４００からの電気信号が入力される。操作内容検出部４００は、スリット幅を変更するための操作部１０４に対する操作内容を検出する。この実施形態では、この操作内容は、所定の操作基準位置に対する操作部１０４の変位である。より具体的には、この実施形態では、スリット操作ノブ１８を回転操作することによってスリット幅を変更するようになっており、操作内容検出部４００は、所定の基準操作位置に対するスリット操作ノブ１８の回転位置を検出する。
【００３９】
操作内容検出部４００の構成例を説明する。操作内容検出部４００は、スリット操作ノブ１８の回転位置を検出するエンコーダを含む。このエンコーダは、たとえば、スリット操作ノブ１８と一体的に回転する遮光プレートと、この遮光プレートを挟む位置に発光素子と受光素子とが対向配置されたフォトセンサとを含む。遮光プレートには、複数の透光部（スリット）が等間隔で形成されている。発光素子は連続点灯される。スリット操作ノブ１８の回転に伴って発光素子と受光素子の間を透光部が通過する度に、受光素子は電気信号を制御部１０１に送る。制御部１０１は、受光素子から入力される電気信号の個数をカウントすることで、スリット操作ノブ１８の回転位置を認識する。
【００４０】
対応情報反転部１０１ａは、後述の対応情報１０２ｂを反転加工する。対応情報反転部１０１ａが実行する処理については後述する。
【００４１】
制御部１０１は、マイクロプロセッサ、ＲＡＭ、ＲＯＭ、ハードディスクドライブ等のハードウェアを含んで構成される。このハードディスクドライブには、制御プログラムが予め記憶されている。制御部１０１の動作は、この制御プログラムと上記ハードウェアとが協働することによって実現される。
【００４２】
制御部１０１は、細隙灯顕微鏡１の装置本体（たとえば基台４内）やコンピュータ１００に配置される。
【００４３】
〔記憶部〕
記憶部１０２には各種の情報が記憶される。特に、記憶部１０２には、距離情報１０２ａと、対応情報１０２ｂとが予め記憶されている。
【００４４】
距離情報１０２ａは、スリット形成部５４のスリット刃が閉じた状態におけるスリット刃の位置と、上記検出位置との間の距離を示す。この距離は、空間的な距離である必要はなく、距離と同値な量であればよい。たとえば、アクチュエータ２００がパルスモータである場合、距離情報１０２ａは、制御部１０１からパルスモータに送信されるパルス信号のパルス数であってよい。
【００４５】
距離情報１０２ａの作成は、たとえば、スリット刃が検出位置に位置していることをスリット検出部３００に検出させ、その状態からスリット刃が閉じるまでパルスモータにパルス信号を入力し、入力されたパルス信号のパルス数をカウントすることによって行われる。距離情報１０２ａの作成は、たとえば、細隙灯顕微鏡１の製品出荷前に行われる。また、細隙灯顕微鏡１の使用を開始した後に、距離情報１０２ａを補正することもできる。
【００４６】
対応情報１０２ｂは、操作部１０４に対する操作内容とアクチュエータ２００の作動量とを対応付けた情報である。この実施形態では、操作部１０４の操作内容としてスリット操作ノブ１８の回転位置が用いられ、アクチュエータ２００の作動量としてアクチュエータ２００に送信されるパルス信号のパルス数が用いられる。なお、この実施形態では、スリット形成部５４の一対のスリット刃が基準スリット位置に配置された後に、スリット幅の変更操作が行われるので、パルス数と、一対のスリット刃の位置（つまりスリット幅）とを実質的に同一視することができる。以下、対応情報１０２ｂの例を説明する。
【００４７】
対応情報１０２ｂの第１の例を図４Ａに示す。グラフ５００Ａは、対応情報１０２ｂの第１の例における、スリット操作ノブ１８の回転位置と、スリット幅（パルス数）との対応関係を示す。グラフ５００Ａの横軸は回転位置を示し、縦軸はスリット幅を示す。回転位置は、基準操作位置０度に対して正方向と負方向の双方向に定義されている。スリット幅は、基準スリット位置に対応するスリット幅０と、スリットが全開となる最大スリット幅との間において定義されている。
【００４８】
また、グラフ５００Ａは、基準操作位置０度を中心として正方向と負方向において対称に、かつ周期３６０度で反復するように定義されている。つまり、グラフ５００Ａは、回転位置０度〜３６０度の範囲において定義された関数を、任意の回転位置の範囲に拡張した周期関数とみなされる。よって、スリット操作ノブ１８の回転操作は、３６０度を法として（つまりｍｏｄｕｌｏ  ３６０度として）制御部１０１に認識される。本例の対応情報１０２ｂは、回転位置０度〜３６０度の範囲に定義域を限定して記憶部１０２に記憶させることができる。
【００４９】
回転位置０度〜３６０度の範囲において、グラフ５００Ａは、回転位置１８０度を中心として正方向及び負方向に対称な関数として定義されている。より具体的には、グラフ５００Ａは、基準操作位置０度から正方向（第１方向）に向かう所定範囲（１８０度の手前位置）において単調増加している。この単調増加範囲（第１範囲）では、基準操作位置０度から正方向に向かってグラフ５００Ａの傾きが滑らかに増加している。つまり、この単調増加範囲において、グラフ５００Ａは、回転位置の単位変化量に対するスリット幅（作動量）の変化量が単調増加している。このようなグラフ５００Ａの形状は、スリット幅が狭い状態ではスリット幅の微調整が可能であり、スリット幅が広い状態では粗調整が可能であることを示している。
【００５０】
また、上記単調増加範囲の正方向端部位置から回転位置１８０度を超えた回転位置までの範囲においては、グラフ５００Ａの傾きが０である。つまり、この平坦範囲（第３範囲）においては、回転位置を変化させてもスリット幅の変化はない（つまり作動量０）。これは、スリット操作ノブ１８の回転操作における遊びに相当する。なお、基準操作位置０度を含む範囲に同様の遊びを設けることも可能である。
【００５１】
更に、上記遊び範囲の正方向端部位置から回転位置３６０度までの範囲において、グラフ５００Ａは単調減少している。この単調減少範囲（第２範囲）では、遊び範囲の正方向端部位置から正方向に向かってグラフ５００Ａの傾きが滑らかに減少している。つまり、この単調減少範囲において、グラフ５００Ａは、回転位置の単位変化量に対するスリット幅（作動量）の変化量が単調減少している。このようなグラフ５００Ａの形状は、上記と同様に、スリット幅が狭い状態ではスリット幅の微調整が可能であり、スリット幅が広い状態では粗調整が可能であることを示している。
【００５２】
このような第１の例が適用される場合、ユーザは、スリット操作ノブ１８を所望の方向に回転させることができる。いずれの回転方向においても、スリット操作ノブ１８の回転量が増加するに伴い、スリット幅の拡大と縮小とが繰り返されることとなる。また、上記のように、スリット幅が狭い状態では微調整が可能であり、スリット幅が広い状態では粗調整が可能である。
【００５３】
対応情報１０２ｂの第２の例を図４Ｂに示す。グラフ５００Ｂは、対応情報１０２ｂの第２の例における、スリット操作ノブ１８の回転位置と、スリット幅（パルス数）との対応関係を示す。グラフ５００Ｂの横軸は回転位置を示し、縦軸はスリット幅を示す。回転位置は、第１の例と異なり、基準操作位置０度に対して正方向にのみ定義されている。スリット幅は、基準スリット位置に対応するスリット幅０と、スリットが全開となる最大スリット幅との間において定義されている。
【００５４】
グラフ５００Ｂは、基準操作位置０度から回転位置１８０度までの範囲において単調増加している。この単調増加範囲（第１範囲）は、正方向端部の位置の相違を除き、第１の例と同様である。また、回転位置１８０度よりも正方向の範囲において、グラフ５００Ｂの傾きは０である。同様に、基準操作位置０度よりも負方向の範囲についても、グラフ５００Ｂの傾きは０である。これら平坦範囲についても第１の例との間に実質的な相違はない。
【００５５】
このような第２の例が適用される場合、ユーザは、スリット幅を拡大する場合、正方向に対応する回転方向にスリット操作ノブ１８を回転させる。逆に、スリット幅を縮小する場合、ユーザは、負方向に対応する回転方向にスリット操作ノブ１８を回転させる。また、スリット幅が最大の状態において、スリット操作ノブ１８を正方向に対応する回転方向に回転させても、スリット幅の変化はない。また、第１の例と同様に、スリット幅が狭い状態では微調整が可能であり、スリット幅が広い状態では粗調整が可能である。
【００５６】
対応情報１０２ｂの第３の例を図４Ｃに示す。グラフ５００Ｃは、対応情報１０２ｂの第３の例における、スリット操作ノブ１８の回転位置と、スリット幅（パルス数）との対応関係を示す。グラフ５００Ｃの横軸は回転位置を示し、縦軸はスリット幅を示す。回転位置は、第１の例と同様に、基準操作位置０度に対して正方向と負方向の双方向に定義されている。スリット幅は、基準スリット位置に対応するスリット幅０と、スリットが全開となる最大スリット幅との間において定義されている。
【００５７】
グラフ５００Ｃにおいて、基準操作位置０度には最大スリット幅が対応付けられている。基準操作位置０度よりも負方向において、グラフ５００Ｃは一定（最大スリット幅）である。また、基準操作位置０度から回転位置１８０度までの範囲において、グラフ５００Ｃは単調減少している。この単調減少範囲（第１範囲）では、第１の例と同様に、基準操作位置０度から正方向に向かってグラフ５００Ｃの傾きが滑らかに減少している。
【００５８】
このような第３の例が適用される場合、ユーザは、スリット幅を縮小する場合、正方向に対応する回転方向にスリット操作ノブ１８を回転させる。逆に、スリット幅を拡大する場合、ユーザは、負方向に対応する回転方向にスリット操作ノブ１８を回転させる。また、スリット幅が最大の状態において、スリット操作ノブ１８を負方向に対応する回転方向に回転させても、スリット幅の変化はない。また、第１の例と同様に、スリット幅が狭い状態では微調整が可能であり、スリット幅が広い状態では粗調整が可能である。
【００５９】
以上に説明した第１〜第３の例は対応情報１０２ｂの例示であり、これら以外の対応情報１０２ｂを適用することも可能である。また、複数の対応情報１０２ｂを記憶部１０２に記憶させておくことができる。その場合、任意に選択された対応情報１０２ｂが使用される。対応情報１０２ｂの選択は、ユーザが手動で行なってもよいし、制御部１０１が自動で選択してもよい。手動選択は、たとえば、制御部１０１が対応情報１０２ｂの選択肢を表示部１０３に表示させ、操作部１０４を用いて所望の１つを選択することによる。自動選択を行う場合、たとえば、当該患者（当該被検眼Ｅ）に対して過去に適用された対応情報１０２ｂを示す情報を識別情報（患者識別情報、被検眼識別情報）とともに記憶部１０２に記憶しておく。そして、入力された識別情報に関連付けられた対応情報１０２ｂを記憶部１０２から読み出して、これを適用する。
【００６０】
〔表示部〕
表示部１０３は、制御部１０１の制御を受けて各種の情報を表示する。表示部１０３は、ＬＣＤ等のフラットパネルディスプレイ、ＣＲＴディスプレイなどの任意の表示デバイスを含んで構成される。表示部１０３は、細隙灯顕微鏡１の装置本体に設けられていてもよいし、コンピュータ１００に設けられていてもよい。
【００６１】
〔操作部〕
操作部１０４は、操作デバイスや入力デバイスを含んで構成される。操作部１０４には、装置本体に設けられたボタンやスイッチ（たとえば操作ハンドル５等）や、コンピュータ１００のマウス、キーボードなどが含まれる。また、トラックボール、専用の操作パネル、スイッチ、ボタン、ダイアルなど、任意の操作デバイスや入力デバイスを用いることも可能である。
【００６２】
操作部１０４にはスリット操作ノブ１８が含まれている。前述のように、スリット操作ノブ１８の操作内容は、操作内容検出部４００により検出され、その検出結果が制御部１０１に入力される。
【００６３】
図３では、表示部１０３と操作部１０４とを別々に表しているが、これらを一体的に構成することも可能である。その具体例として、タッチパネル式のＬＣＤを用いることができる。
【００６４】
〔スリット幅の制御について〕
スリット幅を変更する制御について説明する。ユーザがスリット操作ノブ１８を操作すると、操作内容検出部４００がその操作内容（回転位置）を検出する。操作内容検出部４００は、その検出結果を制御部１０１に送る。制御部１０１は、検出された回転位置に対応付けられたスリット幅（パルス数）を対応情報１０２ｂに基づいて取得する。そして、制御部１０１は、取得されたパルス数のパルス信号を生成してアクチュエータ２００（パルスモータ）に送る。アクチュエータ２００は、このパルス信号のパルス数に応じた駆動力を発生してスリット形成部５４の一対のスリット刃を移動させることで、目的のスリット幅を実現する。
【００６５】
〔対応情報の反転について〕
対応情報反転部１０１ａが実行する処理について説明する。対応情報反転部１０１ａは、対応情報１０２ｂにおけるスリット操作ノブ１８の回転方向とスリット幅（パルス数、アクチュエータ２００の作動量）との対応関係を反転させる。この反転処理は、たとえばユーザによる指示を受けて実行される。また、当該患者（当該被検眼）に対する過去の検査での反転の実施を示す情報に基づいて、反転処理を実行するようにしてもよい。
【００６６】
反転処理の具体例を説明する。対応情報反転部１０１ａは、基準操作位置を中心に対応情報１０２ｂを反転させる。図４Ｂに示すグラフ５００Ｂを反転させると、図５Ａに示すグラフ６００Ｂが得られる。また、図４Ｃに示すグラフ５００Ｃを反転させると、図５Ｂに示すグラフ６００Ｃが得られる。なお、図４Ａに示すグラフ５００Ａは、基準操作位置０度に対して横軸方向に対称であるから、反転しても形状は変化しない。
【００６７】
対応情報１０２ｂが反転された場合、制御部１０１は、反転処理により得られた対応情報１０２ｂを用いてスリット幅の変更を行う。
【００６８】
［動作］
細隙灯顕微鏡１の動作について説明する。細隙灯顕微鏡１の動作の例を図６に示す。
【００６９】
この動作例において、ステップ１〜ステップ５は、検査開始に対応して行われるものとして説明されているが、たとえば電源投入、患者識別情報の入力、被検眼Ｅの切り替えなど、任意のタイミングで当該処理を行うことも可能である。更に、距離情報１０２ａ及び対応情報１０２ｂは既に記憶されているものとする。また、複数の対応情報１０２ｂが記憶されている場合、使用される対応情報１０２ｂの選択は任意のタイミングでなされるものとする。対応情報１０２ｂの反転についても同様に、任意のタイミングでなされるものとする。
【００７０】
（Ｓ１：検査開始）
細隙灯顕微鏡１の光学系に対向する検査位置に被検眼Ｅを配置させる。ユーザは、所定の操作を行なって検査開始を指示する。
【００７１】
（Ｓ２：スリット刃の移動を開始する）
制御部１０１は、アクチュエータ２００を制御してスリット刃を移動させる。
【００７２】
（Ｓ３：スリット刃が検出位置に位置したことを検出する）
制御部１０１は、スリット検出部３００からの電気信号に基づいて、スリット刃が検出位置に位置したことを検出する。
【００７３】
（Ｓ４：スリット刃の移動を停止する）
スリット刃が検出位置に位置したことの検出を受けて、制御部１０１は、アクチュエータ２００を制御してスリット刃の移動を停止させる。
【００７４】
（Ｓ５：スリット刃を閉じた状態にする）
制御部１０１は、記憶部１０２に記憶された距離情報１０２ａに基づいてアクチュエータ２００を制御してスリット刃を移動させ、スリット刃を閉じた状態にする。この処理は、たとえば、距離情報１０２ａに示すパルス数からなるパルス信号を生成してアクチュエータ２００（パルスモータ）に送信するものである。
【００７５】
たとえばこの段階で光源５１が点灯される。また、ユーザは、観察系６や照明系８の位置を調整する。
【００７６】
（Ｓ６：スリット幅の調整操作を行う）
ユーザは、被検眼Ｅを観察しつつスリット操作ノブ１８を操作することで、スリット幅を調整する。
【００７７】
（Ｓ７：操作内容を検出する）
操作内容検出部４００は、スリット操作ノブ１８に対してなされた回転操作の操作内容（回転位置）を検出する。操作内容検出部４００は、その検出結果を制御部１０１に入力する。
【００７８】
（Ｓ８：操作内容に対応する作動量を取得する）
制御部１０１は、対応情報１０２ｂにもとづいて、ステップ７で検出された操作内容に対応するアクチュエータ２００の作動量（スリット幅、パルス数）を取得する。
【００７９】
（Ｓ９：スリット幅を変更する）
制御部１０１は、ステップ８で取得された作動量に基づいてアクチュエータ２００を制御することにより、スリット形成部５４の一対のスリット刃の間隔を、ステップ７で検出された操作内容に応じた距離だけ変更する。この処理は、たとえば、ステップ８で取得されたパルス数のパルス信号をパルスモータ（アクチュエータ２００）に送信するものである。
【００８０】
（Ｓ１０：調整終了？）
スリット幅が所望の状態になるまで、ステップ６〜ステップ９の処理が反復される（Ｓ１０：Ｎｏ）。
【００８１】
（Ｓ１１：観察開始）
一方、スリット幅の調整が終了したら（Ｓ１０：Ｙｅｓ）、スリット光を用いた被検眼Ｅの観察を開始する。以上で、この動作例の説明は終了である。
【００８２】
［効果］
細隙灯顕微鏡１の効果について説明する。
【００８３】
細隙灯顕微鏡１は、光源５１と、一対のスリット刃（スリット形成部５４）と、アクチュエータ２００と、機構と、操作部１０４と、記憶部１０２と、操作内容検出部４００と、制御部１０１とを有する。光源５１は、照明光を発する。一対のスリット刃は、照明光からスリット光を生成する。アクチュエータ２００は、駆動力を発生する。機構は、駆動力に基づいて一対のスリット刃の間隔を変更する。操作部１０４は、一対のスリット刃の間隔（スリット幅）の調整に用いられる。記憶部１０２には、操作部１０４に対する操作内容とアクチュエータ２００の作動量とを対応付けた対応情報１０２ｂが予め記憶される。操作内容検出部４００は、操作部１０４に対する操作内容を検出する。制御部１０１は、検出された操作内容に対応付けられた作動量を対応情報１０２ｂに基づき取得し、取得された作動量に基づいてアクチュエータ２００を制御することにより当該操作内容に応じた距離だけスリット幅を変更する。
【００８４】
このような細隙灯顕微鏡１によれば、対応情報１０２ｂに基づいてスリット幅を電動制御できるので、スリット幅の調整を高い精度でかつ容易に行うことが可能である。
【００８５】
操作内容は、所定の基準操作位置に対する操作部１０４の変位であってよい。その場合、操作部１０４の変位の可変範囲の少なくとも一部において作動量が変化するように、操作部１０４の変位とアクチュエータ２００の作動量とを対応付けた対応情報１０２ｂを用いることができる。
【００８６】
図４Ａに示す例において、操作部１０４の変位（回転位置）の可変範囲は、−∞〜＋∞である。また、作動量が変化する一部範囲は、０度から１８０度の手前位置までの単調増加の範囲、及び１８０度を超えた位置から３６０度までの単調減少の範囲、並びに３６０度を法としてこれら範囲と合同な範囲である。
【００８７】
図４Ｂに示す例において、操作部１０４の変位（回転位置）の可変範囲は、−∞〜＋∞である。また、作動量が変化する一部範囲は、０度から１８０度までの単調増加の範囲である。
【００８８】
図４Ｃに示す例において、操作部１０４の変位（回転位置）の可変範囲は、−∞〜＋∞である。また、作動量が変化する一部範囲は、０度から１８０度までの単調減少の範囲である。
【００８９】
また、対応情報１０２ｂは、操作部１０４の基準操作位置と、スリット幅が実質的にゼロである一対のスリット刃の基準スリット位置とを対応付けたものであってよい。更に、細隙灯顕微鏡１は、一対のスリット刃が所定の検出位置に位置していることを検出するスリット検出部３００を有していてもよい。その場合、基準スリット位置と検出位置との間の距離を示す距離情報１０２ａを記憶部１０２に予め記憶させるとともに、スリット刃が検出位置に位置していると検出されたときに、制御部１０１が、距離情報１０２ａに基づいてアクチュエータ２００を制御することにより一対のスリット刃を基準スリット位置に配置させるように構成することができる。このような構成を採用することで、スリット幅の調整の基準位置を設定することができ、スリット幅の変化量（パルス数）と、スリット幅自体とを対応付けることが可能となる。それにより、スリット幅の調整を高い精度でかつ容易に行うことが可能となる。
【００９０】
操作部１０４は、第１方向及びその逆方向である第２方向に回転可能なスリット操作ノブ１８（回転操作部）を含んでいてもよい。ここで、第１方向と第２方向の組み合わせは、上記した正方向と逆方向の組み合わせに相当する。なお、正方向と逆方向は予め任意に設定される。
【００９１】
この場合において、スリット操作ノブ１８に対する操作内容は、基準操作位置に対するスリット操作ノブ１８の回転位置を含む。ここで、回転位置は正方向と逆方向とを加味したものとなる（つまり正回転と逆回転が任意に定義される）。更に、基準操作位置から第１方向に向かう第１範囲において、スリット操作ノブ１８の回転位置の単位変化量に対するアクチュエータ２００の作動量の変化量が単調変化するように、回転位置と作動量とが対応付けられた対応情報１０２ｂを用いることができる。なお、第１範囲は、図４Ａ及び図４Ｂに示す例における単調増加範囲に相当し、図４Ｃに示す例における単調減少範囲に相当する。更に、第１範囲において第１方向がスリット幅を拡大させるための回転方向である場合、上記単調変化は単調増加となる。逆に、第１範囲において第１方向がスリット幅を縮小させるための回転方向である場合には、上記単調変化は単調減少となる。このように、回転位置の単位変化量に対して作動量の変化量が単調変化する第１範囲を設けることで、スリット幅の微調整及び粗調整を容易に行うことができる。よって、スリット幅の調整を高い精度でかつ容易に行うことが可能となる。
【００９２】
また、第１範囲と異なる第２範囲において、第１方向におけるスリット操作ノブ１８の回転位置の単位変化量に対するアクチュエータ２００の作動量の変化量が、第１範囲での単調変化とは逆の単調変化をするように、回転位置と作動量とを対応付けた対応情報１０２ｂを用いることが可能である。第２範囲は、図４Ａに示す例における単調減少範囲に相当する。この構成によれば、スリット操作ノブ１８を同じ方向に回転させつつ、スリット幅を拡大させたり縮小させたりできる。更に、スリット操作ノブ１８を同じ方向に回転させつつ、スリット幅の微調整及び粗調整を容易に行うことができる。よって、スリット幅の調整を高い精度でかつ容易に行うことが可能となる。
【００９３】
また、スリット操作ノブ１８の回転位置の変化に対して作動量ゼロが対応付けられた第３範囲を含むように、回転位置と作動量とを対応付けた対応情報１０２ｂを用いることが可能である。第３範囲は、図４Ａに示す例における平坦範囲に相当する。この構成によれば、スリット操作ノブ１８の回転操作に遊びを設けることができるので、操作性の向上を図ることが可能である。これは、スリット幅の調整の高精度化及び容易化に寄与する。
【００９４】
また、制御部１０１は、対応情報１０２ｂにおける、スリット操作ノブ１８の回転方向（第１方向、第２方向に相当する）と、アクチュエータ２００の作動量との対応関係を反転させる対応情報反転部１０１ａを含んでいてもよい。このように対応情報１０２ｂを反転させることにより、対応情報１０２ｂのバリエーションを増やすことができ、操作性の向上、ひいてはスリット幅の調整の高精度化及び容易化を図ることができる。
【００９５】
複数の対応情報１０２ｂを予め記憶部１０２に記憶させておくことができる。その場合、制御部１０１は、複数の対応情報１０１ｂを択一的に用いることで、操作内容検出部４００により検出された操作内容に対応付けられた作動量の取得を行う。このように複数の対応情報１０２ｂを択一的に使用可能とすることにより、対応情報１０２ｂのバリエーションを増やすことができ、操作性の向上、ひいてはスリット幅の調整の高精度化及び容易化を図ることができる。
【００９６】
以上において説明した実施形態は、この発明を実施するための一具体例に過ぎない。この発明を実施しようとする者は、この発明の要旨の範囲内における任意の変形を適宜に施すことが可能である。
【符号の説明】
【００９７】
１  細隙灯顕微鏡
６  観察系
８  照明系
１８  スリット操作ノブ
４３  撮像素子
１００  コンピュータ
１０１  制御部
１０１ａ  対応情報反転部
１０２  記憶部
１０２ａ  距離情報
１０２ｂ  対応情報
１０３  表示部
１０４  操作部
２００  アクチュエータ
３００  スリット検出部
４００  操作内容検出部
５００Ａ、５００Ｂ、５００Ｃ  グラフ
６００Ｂ、６００Ｃ  反転されたグラフ
Ｅ  被検眼
【図１】
2014033812.tif 000003
【図２】
2014033812.tif 000004
【図３】
2014033812.tif 000005
【図４Ａ】
2014033812.tif 000006
【図４Ｂ】
2014033812.tif 000007
【図４Ｃ】
2014033812.tif 000008
【図５Ａ】
2014033812.tif 000009
【図５Ｂ】
2014033812.tif 000010
【図６】
2014033812.tif 000011